(57)【要約】      （修正有）【課題】筆穂に適度な撓みを持ち、液体の塗布線の幅を安定させて調整でき、筆の扱いに不慣れな使用者でも安定した線を描くことができる液体塗布具の筆先ユニットを提供する。【解決手段】筆先ユニット１は、筆穂２と、筆穂カバー部３と、マウスピース４と、を備え、筆穂露出部２ａ径は、塗布線の最大幅以下であることを特徴とする。【選択図】図１
2020130664.tif 000002
【特許請求の範囲】
【請求項１】
筆穂と、
前記筆穂の先端側の筆穂露出部を除く外周を覆うように設けられた筆穂カバー部と、
前記筆穂カバー部の先端側の筆穂カバー露出部を除き、前記筆穂カバー露出部の後端部から後端側の前記筆穂カバー部の一部の外周を覆うように設けられたマウスピースと、
を備え、
前記筆穂露出部の筆穂露出部径は、設定された塗布線の最大幅以下であることを特徴とする筆先ユニット。
【請求項２】
前記筆穂露出部の筆穂露出部長、及び、前記筆穂カバー露出部の筆穂カバー露出部長の和を総芯出長としたとき、
前記筆穂露出部長は、前記総芯出長より小さい、請求項１に記載の筆先ユニット。
【請求項３】
前記筆穂露出部長は、前記筆穂露出部径に対し、３倍以下である、請求項１又は２に記載の筆先ユニット。
【請求項４】
前記筆穂露出部長は５ｍｍ以下であり、前記総芯出長は、５ｍｍを超える、請求項１〜３いずれか一項に記載の筆先ユニット。
【請求項５】
前記筆穂露出部径は、前記筆穂の筆穂中芯径より小さい、請求項１〜４いずれか一項に記載の筆穂ユニット。
【請求項６】
前記筆穂カバー部は熱可塑性合成樹脂である、請求項１〜５いずれか一項に記載の筆先ユニット。
【請求項７】
前記筆穂カバー露出部は、先端部に向かって徐々に肉薄となった、請求項１〜６いずれか一項に記載の筆先ユニット。
【請求項８】
前記筆穂は、合成繊維を合成樹脂バインダで接着した、請求項１〜７いずれか一項に記載の筆先ユニット。
【請求項９】
外筒及び／又は把持筒と、請求項１〜８のいずれか一項に記載の筆先ユニットを備える液体塗布具。
【請求項１０】
前記外筒及び前記マウスピースは、一体的に又は独立して成形された、請求項９に記載の液体塗布具。
【請求項１１】
前記外筒、前記把持筒、及び前記マウスピースは、一体的に又は独立して成形された、請求項９に記載の液体塗布具。
【発明の詳細な説明】
【技術分野】
【０００１】
本発明は、化粧用具や筆記具等の液体塗布具に用いられる筆先ユニット、及び、該筆先ユニットを備える液体塗布具に関する。
【背景技術】
【０００２】
毛筆タイプの化粧用具や筆記具に使用される繊維製の筆穂を有する筆先ユニットは、繊維を長手方向に集束して樹脂バインダで接着後、研削等で先端及び後端を毛筆状等の所望の形状に成形した筆穂を、マウスピースに装着したものである。
【０００３】
なかでも、アイライナーやリップライナー、細筆ペン等、安定した細線で塗布することが要求される化粧用具や筆記具として上記筆先ユニットを用いた場合、塗布時に筆圧に対する反発力が弱く、筆穂が撓みやすいため、筆圧のコントロールに不慣れな使用者は安定した線を描くことができない、という問題があった。
また、筆穂が撓み、意図する塗布部分以外の肌や紙等の被塗布物に触れると、意図せず触れた部分にも液体が塗布されてしまうという問題があった。
【０００４】
かかる反発力を強めるために筆穂の断面硬度を高くすると、筆圧のコントロールはし易くなるものの、筆記時に肌や紙等の被塗布物に力がかかり、痛みや傷が生じるという別の問題があった。
【０００５】
また、マウスピースから露出する筆穂の芯出の長さを短くすることで、筆穂の撓みを減少させ、筆圧のコントロールを容易にすると、塗布時に筆先が液体塗布具の陰に隠れて見えづらくなり、細線を意図する場所に塗布することが困難となるというさらに別の問題が生じる場合があった。
【先行技術文献】
【特許文献】
【０００６】
【特許文献１】特開２００６−１９８０４７号公報
【発明の概要】
【発明が解決しようとする課題】
【０００７】
本発明は、上記事情を鑑みたものであり、筆穂に適度な撓みを持たせ、液体の塗布線の幅を安定させて調整でき、筆の扱いに不慣れな使用者でも安定した線を描くことができる液体塗布具の筆先ユニットを提供することを課題とする。
【課題を解決するための手段】
【０００８】
上記課題を解決するために、本発明の筆先ユニットは、筆穂と、前記筆穂の先端側の筆穂露出部を除く外周を覆うように設けられた筆穂カバー部と、前記筆穂カバー部の先端側の筆穂カバー露出部を除き、前記筆穂カバー露出部の後端部から後端側の前記筆穂カバー部の一部の外周を覆うように設けられたマウスピースと、を備え、前記筆穂露出部の筆穂露出部径は、設定された塗布線の最大幅以下であることを特徴とする。
【発明の効果】
【０００９】
本発明の筆先ユニットによれば、筆穂の外周とマウスピースの内周の間に筆穂カバー部が設けられるため、筆穂の撓みを筆穂カバー部で減少させることができる。また、筆穂露出部とマウスピースの間に筆穂カバー露出部が設けられる場合、筆穂露出部を短くすることができるため、筆穂の撓みをさらに減少させることができる。このため、筆穂の撓みの減少により被塗布物の意図しない部分に筆穂が触れにくくなり、また、触れたとしても筆穂カバー露出部からは液体が滲出しないため被塗布物の意図しない部分に液体は塗布されにくく、塗布線の線幅が一定以上にはならずに安定する。筆穂露出部径は設定された塗布線の最大幅以下に調整されるため、塗布方向に筆穂を傾けて塗布すれば所定の線幅で塗布可能となる。
さらには、筆穂の断面硬度を高くしなくても、筆穂カバー部により筆圧に対する反発力を持たせることができるため、筆記時に肌や紙等の被塗布物に力がかかりにくく、痛みや傷が生じにくくなる。
【００１０】
本発明の筆先ユニットの組付けにおいても、筆穂カバー部が設けられることにより、外径が細く柔らかい筆穂であっても折れにくく、確実な組付けが可能となる。
【図面の簡単な説明】
【００１１】
【図１】本発明の筆先ユニットの一例の概略図を示す。
【図２】本発明の筆先ユニットを用いた化粧用具の一例の概略図を示す。
【図３】本発明の筆先ユニットを用いた化粧用具の他の一例の概略図を示す。
【発明を実施するための形態】
【００１２】
本発明の筆先ユニットは、筆穂と、筆穂カバー部と、マウスピースを備えるものであり、図１に概略を示す。以下に、本筆先ユニットについて詳細に説明する。
なお、本願明細書において、「先端部」は各部品（部品の部分を含む。以下同じ。）における液体塗布具の穂先側の最先端部（位置）を指し、「後端部」は各部品における液体塗布具の穂先と反対側の最後端部（位置）を指し、「先端部分」は各部品における先端部の近辺部分を指し、「後端部分」は各部品における後端部の近辺部分を指す。また、「先端側」は穂先側を指し、「後端側」は穂先と反対側を指す。
【００１３】
（筆穂の構成）
本発明の筆穂２は、筆穂２の後端部分から供給される液体を用い、又は、筆穂２の先端部分に液体を浸漬し、筆穂２の先端部分の穂先で筆記するために設けられる。
筆穂２は、繊維を長手方向に集束して成形金型に通して熱加工し、樹脂バインダを含浸乾燥させて接着したものが例示される。
【００１４】
筆穂２の繊維には、合成繊維や獣毛等が用いられる。合成繊維としては、ポリアミド繊維のナイロン（登録商標）等、ポリエステル繊維のポリエチレンテレフタレート、ポリブチレンテレフタレート等、アクリル繊維等が例示される。獣毛としては、馬、羊の毛等が例示される。
【００１５】
筆穂２の樹脂バインダには、ポリウレタン樹脂、フェノキシ樹脂、エポキシ樹脂、メラミン樹脂等が用いられる。
【００１６】
図１に示すように、筆穂２は、その先端部分に、後述する筆穂カバー部３に被覆されていない筆穂露出部２ａを有する。筆穂露出部２ａは、毛筆状の他、所望の形状に成形される。
筆穂２の、上記筆穂露出部２ａの後端部から後端側は、筆穂カバー部３に被覆されている。
筆穂２の径サイズは筆穂中芯径Ｄ１で表され、筆穂露出部２ａのサイズは、長手方向の長さである筆穂露出部長Ｂ、筆穂露出部２ａの後端部の径である筆穂露出部径Ｃで表される。
【００１７】
筆穂露出部径Ｃは、筆穂中芯径Ｄ１と同じでもよいし、筆穂中芯径Ｄ１より小さくてもよい。筆穂露出部径Ｃは、筆穂露出部２ａの後端部における径であり、該後端部で筆穂２を研削する等で調整する。筆穂露出部径Ｃを細くする場合、筆穂中芯径Ｄ１の小さな筆穂２を用意すればよいが、仮に筆穂中芯径Ｄ１が大きい筆穂２であっても、筆穂露出部２ａの後端部を研削して筆穂露出部径Ｃを小さくすることが可能である。
【００１８】
筆穂露出部２ａの筆穂露出部径Ｃは、設定された塗布線の最大幅以下に設定される。塗布線の最大幅とは、塗布において要求される線幅のうち、最大のものをいう。筆穂露出部径Ｃは適宜設定されるが、アイライナーの場合、０．５ｍｍ〜５．０ｍｍ、好ましくは１．０ｍｍ〜３．０ｍｍの範囲が例示される。たとえば、筆穂露出部径Ｃを２ｍｍとすれば、筆穂２を被塗布物に対し１５〜８０°程度の角度で筆記方向に傾斜させて筆記した場合、筆圧を高めても２ｍｍを超えた線幅を持つ線にはほぼならない。厳密には、筆穂カバー露出部３ａに触れない程度の筆圧であれば２ｍｍを超える線幅になることはなく、仮に筆穂カバー露出部３ａに若干触れる程度の筆圧であった場合は、筆穂カバー露出部３ａの先端部と筆穂露出部２ａの境界付近に滲みが生じることがあるため、２ｍｍを僅かに超える線幅になることがある。筆先ユニットの構成や用途・材質によるものの、必要がある場合は該境界付近の滲みを考慮して、筆穂露出部径Ｃを塗布線の最大幅より僅かに小さく設定することが好ましい。
【００１９】
また、筆穂露出部長Ｂは、筆穂露出部径Ｃに対し、３倍以下であることが望ましい。筆穂露出部径Ｃが同じ場合に筆穂露出部長Ｂがその３倍より長くなると、筆穂露出部２ａの撓みが大きくなり、安定した線を描くことができにくくなるためである。一方、筆穂露出部径Ｃが太くなれば、筆穂露出部長Ｂが長くても、筆穂露出部２ａの撓みは抑えられる。すなわち、Ｂ／Ｃ≦３の関係にあることが望ましい。
【００２０】
さらに、アイライナーの例において筆穂露出部径Ｃが１．７ｍｍ〜３．０ｍｍ程度である場合、筆穂露出部長Ｂは、５ｍｍ以下であることが好ましい。５ｍｍを超えると、筆穂２の撓みの調整が難しくなり、筆圧に対する反発力が小さくなり、安定した細線が描きにくくなるためである。
【００２１】
化粧用具や筆記具それぞれは、各部品や部分の長さや径、液体の種類や粘度、要求される撓み等がそれぞれ異なるため、上記数値範囲は例示に過ぎない。
【００２２】
（筆穂カバー部の構成）
本発明の筆穂カバー部３は、筆穂２を被覆するために設けられるものであり、筆穂２の先端側の筆穂露出部２ａ以外の外周を覆うように設けられる。
【００２３】
筆穂カバー部３には、ゴム状弾性を示すエラストマーの他、各種合成樹脂が用いられる。ポリエステル系、ポリスチレン系、オレフィン系、ウレタン系、ポリアミド系、ポリアセタール等の熱可塑性樹脂、熱硬化性樹脂等が例示される。
【００２４】
図１に示すように、筆穂カバー部３は、その先端部分に、後述するマウスピース４に被覆されていない筆穂カバー露出部３ａを有する。
筆穂カバー露出部３ａのサイズは、長手方向の長さである筆穂カバー露出部長Ａ、筆穂カバー部外径Ｄ２で表される。
なお、筆穂カバー露出部３ａは、デザイン上の観点からも、先端部分に向かって徐々に肉薄となっていてもよい。塗布時に筆穂露出部２ａの後端部が被塗布物に触れても、筆穂カバー露出部３ａの段差を感じにくくなり、使用感が向上する場合もある。
【００２５】
（筆穂露出部と筆穂カバー露出部）
液体塗布具がアイライナー等の化粧用具の場合、塗布時に筆先が液体塗布具の陰に隠れて見えづらくならないように、筆穂露出部２ａの筆穂露出部長Ｂ及び筆穂カバー露出部３ａの筆穂カバー露出部長Ａの和である、総芯出長（Ａ＋Ｂ）が設定されることが好ましい。
筆穂露出部長Ｂ及び筆穂カバー露出部長Ａの和は、液体塗布具の形状に依存する。たとえば、図２の液体塗布具の例では、液体塗布具全長Ｌ５は１１０ｍｍ、筆穂２の先端部から把持筒６の後端部までは１０７ｍｍ、マウスピース４の先端部から把持筒６の後端部までは１００ｍｍ（マウスピース露出部長Ｌ１＝３．２ｍｍ、外筒露出部長Ｌ２＝１６．８ｍｍ、把持筒長Ｌ３＝８０ｍｍ）、キャップ長Ｌ４は３０ｍｍ、把持筒６の径である把持筒外径Ｄ６は９．５ｍｍ、キャップ７のキャップ外径Ｄ７は９．５ｍｍ、外筒５の先端側の径である外筒先端側外径Ｄ４は４．８ｍｍ、外筒５の後端側の径である外筒後端側外径Ｄ５は８．０ｍｍ、マウスピース外径Ｄ３は３．８ｍｍ（なお、マウスピース４の先端部は３．２ｍｍに縮径されている）、筆穂露出部径Cは２．０ｍｍであるが、該液体塗布具の陰に隠れて見えづらくならないようにするには、筆穂露出部長Ｂ及び筆穂カバー露出部長Ａの和は５ｍｍを超えることが好ましく、６ｍｍ以上がより好ましい。図２の液体塗布具の例では、筆穂露出部長Ｂ及び筆穂カバー露出部長Ａの和は７ｍｍである。
【００２６】
筆穂カバー露出部長Ａの長さは、安定して塗布操作ができれば、特に制限はない。筆穂カバー部３の熱可塑性樹脂の種類または厚さ等によっては、１２ｍｍ以上、あるいは２０ｍｍ以上でも折れずに適度な弾力性を持たせることができ、安定して塗布操作ができる。
【００２７】
図３の液体塗布具の例では、液体塗布具全長Ｌ５は１２８ｍｍ、筆穂２の先端部から把持筒６の後端部までは１２５ｍｍ、マウスピース４の先端部から把持筒６の後端部までは１００ｍｍ（マウスピース露出部長Ｌ１＝３．２ｍｍ、外筒露出部長Ｌ２＝１６．８ｍｍ、把持筒長Ｌ３＝８０ｍｍ）、キャップ長Ｌ４は４８ｍｍ、外筒５の先端側の径である外筒先端側外径Ｄ４は４．８ｍｍ、外筒５の後端側の径である外筒後端側外径Ｄ５は８．０ｍｍ、把持筒６の径である把持筒外径Ｄ６は９．５ｍｍ、キャップ７のキャップ外径Ｄ７は９．５ｍｍ、マウスピース外径Ｄ３は３．８ｍｍ（なお、マウスピース４の先端部は３．２ｍｍに縮径されている）、筆穂露出部径Cは２．０ｍｍ、筆穂露出部長Ｂは５．０ｍｍ、筆穂カバー露出部長Ａは２０．０ｍｍ、筆穂露出部長Ｂ及び筆穂カバー露出部長Ａの和は２５ｍｍである。
【００２８】
筆穂露出部長Ｂは、総芯出長Ａ＋Ｂより小さいことが望ましい。筆穂２に筆穂カバー部３が覆うことによって筆穂２の撓みを抑えられるが、筆穂カバー露出部３ａが設けられることにより筆穂露出部２ａを短くすることができるため、さらに筆穂２の撓みを抑えることができる。さらに、筆穂カバー露出部３ａが設けられると、筆記する筆穂２の先端部分が液体塗布具の陰になりにくく、被塗布物の塗布部分を確認しながら筆記することが可能となる。
【００２９】
（筆穂と筆穂カバー部）
筆穂カバー部３で筆穂２を覆う方法は、筆穂カバー部２の材料等により適宜選択される。
筆穂カバー部３の材料が熱可塑性樹脂の場合、繊維を集束して樹脂バインダで接着した筆穂２を、筆穂カバー部３の熱可塑性樹脂の中央に通し、押出成形し、所定の長さにカットした後、研削等で筆穂露出部２ａを毛筆状等の所定の形状にし、必要に応じて、筆穂カバー露出部３ａを先端部分に向かって徐々に肉薄となるように研削することが好ましい。このとき、筆穂露出部２ａの後端部で、筆穂露出部径Ｃとなるように、筆穂２を研削する等で調整することができる。筆穂中芯径Ｄ１より筆穂露出部径Ｃを小さくする場合、筆穂露出部２ａの後端部に段部や傾斜部が形成されてもよい。
筆穂カバー部３の材料が熱硬化性樹脂の場合、あるいは、上記押出成形が難しい場合等は、繊維を集束して樹脂バインダで接着した筆穂２を、熱硬化性樹脂に含浸させて被覆させてもよい。この場合も、所定の長さにカットした後、研削等で筆穂露出部２ａを毛筆状等の所定の形状にし、必要に応じて、筆穂カバー露出部３ａを先端部分に向かって徐々に縮径するように肉薄となるように研削することが好ましい。このとき、筆穂露出部２ａの後端部で、筆穂露出部径Ｃとなるように、筆穂２を研削する等で調整することができる。筆穂中芯径Ｄ１より筆穂露出部径Ｃを小さくする場合、筆穂露出部２ａの後端部に段部や傾斜部が形成されてもよい。
筆穂カバー部３がゴム状等であり、中に筆穂２を通すことができる場合は、筆穂２と筆穂カバー部３を単に組付けることも可能である。また、熱収縮チューブに筆穂２を通し、熱によりチューブを収縮させて被覆することも可能である。
【００３０】
（マウスピースの構成）
本発明のマウスピース４は、筆穂カバー部３の先端側の筆穂カバー露出部３ａを除き、筆穂カバー露出部３ａの後端部から後端側の筆穂カバー部３の一部の外周を覆うように設けられる。すなわち、マウスピース４は、筆穂露出部２ａ、筆穂カバー露出部３ａを除く、筆穂２及び筆穂カバー部３の先端部分の一部を外周から覆って固定するように設けられる。
よって、マウスピース４の内周形状は、筆穂カバー部３の先端部分のうちの筆穂カバー露出部３ａを除く一部分を束ねることが可能であれば特に制限はない。
【００３１】
また、図２、図３に示すように、マウスピース４の後端部分は、液体塗布具の外筒５に組付けられることが例示される。マウスピース４の径のサイズはマウスピース外径Ｄ３、外筒５に被覆されていないマウスピース露出部４ａの長さはマウスピース露出部長Ｌ１で表される。
さらに、マウスピース露出部４ａは先端部分に向かって、徐々に肉薄となるような形状であってもよい。
マウスピース４は外筒５と一体的に成形されていてもよく、独立して形成されていてもよい。また、マウスピース４と外筒５と把持筒６が一体的に成形されていてもよく、独立して形成されていてもよい。
【００３２】
マウスピース４の素材は、筆穂カバー部３で被覆された筆穂２を固定できるものであれば特に制限はなく、ＡＢＳ樹脂、ＰＰ樹脂等が用いられる。
【００３３】
（筆先ユニットの構成）
本発明の筆先ユニットの組付け方法としては、筆穂カバー部３で被覆した筆穂２を所定の長さにカットし、筆穂露出部２ａ及び筆穂カバー露出部３ａを研削等で所定の形状にし、マウスピース４で固定することが例示される。
このとき、筆穂露出部２ａの筆穂露出部径Ｃを、塗布線の最大幅以下に設定する。
また、筆穂露出部２ａの筆穂露出部長Ｂ、筆穂カバー露出部３ａの筆穂カバー露出部長Ａを上述した長さの範囲に設定することが好ましい。
このような構成とすることで、安定した線を筆記できることに加え、筆穂露出部長Ｂを短くしつつ、筆穂カバー露出部長Ａを含めた全体の総芯出長（Ａ＋Ｂ）を長めにすることができるため、塗布時に筆先が液体塗布具の陰に隠れにくく、細線を意図する場所に塗布しやすくなるという利点も生じる。
【００３４】
（液体塗布具）
本発明の筆先ユニットは、化粧用具や筆記具等の液体塗布具に適用可能である。
【００３５】
液体塗布具は、化粧用具として、アイライナー、リップライナー等の各種化粧用ライナー、マニキュア用ブラシ、アイブロウ、アイシャドウ、リップスティック、コンシーラー等が例示される。また、筆記具として、毛筆タイプのペン、細線用毛筆タイプのペン、修正液等、ブラシが用いられる筆記具が例示される。
【００３６】
図２に、アイライナーの例を示した。
【実施例】
【００３７】
以下に本発明の実施例を具体的に説明するが、本発明はこれらの実施例に何ら限定されるものではない。
【００３８】
―筆先ユニットの組付け―
各種試験を行うため、表１に示した材質、径、長さの筆先ユニットを作成した。
【００３９】
【表１】
2020130664.tif 000003
【００４０】
表１の試料１〜試料１３の筆先ユニットにつき、以下６項目の評価試験を行った。評価試験結果を表２に示す。
【００４１】
【表２】
2020130664.tif 000004
【００４２】
−評価試験１（線幅安定試験１）−
筆先ユニットに荷重１０ｇｆをかけ、紙に３０°傾けて複数回筆記し、線幅のバラつきを測定した。なお、荷重１０ｇｆは、筆穂カバー露出部３ａが紙に接触しない荷重であった。
筆記された線幅の見た目を観察し、一部試料については平均値ＡＶＥと標準偏差Ｓを求め、バラつきが少ないものを〇、バラつきが大きいものを×と評価した。
【００４３】
筆穂カバー露出部３ａを有する試料１〜試料５においては、筆穂露出部径Ｃより細い線が、バラつきなく筆記できた。
筆穂カバー部３で被覆されていない試料６〜試料１３のうち、総芯出長（ここではＢ）が長い試料７、試料８、試料１２、試料１３において、安定した線幅で筆記することができなかった。なお、試料６は、筆穂２の断面硬度が高いため、安定した線幅で筆記することができた。
【００４４】
−評価試験２（線幅安定試験２）−
筆先ユニットに荷重２０ｇｆをかけ、紙に３０°傾けて複数回筆記し、線幅のバラつきを測定した。なお、荷重２０ｇｆは、筆穂カバー露出部３ａが紙に接触する荷重であった。
筆記された線幅の見た目を観察し、一部試料については平均値ＡＶＥと標準偏差Ｓを求め、バラつきが少ないものを〇、バラつきが大きいものを×と評価した。
【００４５】
筆穂カバー露出部３ａを有する試料１〜試料５においては、筆穂露出部径Ｃを若干超える幅の線が、バラつきなく筆記できた。筆穂カバー露出部３ａが紙に触れているにも関わらず、一定以上の線幅にならないことが分かった。
筆穂カバー部３で被覆されていない試料６〜試料１３のうち、総芯出長（ここではＢ）が長い試料７、試料８、試料１２、試料１３において、安定した線幅で筆記することができなかった。なお、試料６は、筆穂２の断面硬度が高いため、安定した線幅で筆記することができた。
【００４６】
−評価試験３（引っ掛かり／痛み試験１）−
筆記時の痛みの有無につき、筆先ユニットに荷重１０ｇｆをかけ、肌の水平面に対し３０°傾けて複数本筆記し、痛み（引っ掛かり感）の有無の官能試験を行うことで評価した。なお、荷重１０ｇｆは、筆穂カバー露出部３ａが肌に接触しない荷重であった。
引っ掛かり感が全くないものを◎、引っ掛かり感をほぼ感じなかったものを〇、感じたものを×と評価した。
【００４７】
筆穂カバー露出部３ａを有する試料１〜試料５においては引っ掛かり感が全く感じられなかった。
筆穂カバー部３で被覆されていない試料６〜試料１３のうち、筆穂断面硬度が高い試料６については、引っ掛かり感を感じたが、それ以外の試料７〜試料１３については、引っ掛かり感が全く感じられなかった。
【００４８】
−評価試験４（引っ掛かり／痛み試験２）−
筆記時の痛みの有無につき、筆先ユニットに荷重２０ｇｆをかけ、肌の水平面に対し３０°傾けて複数本筆記し、痛み（引っ掛かり感）の有無の官能試験を行うことで評価した。なお、荷重２０ｇｆは、筆穂カバー露出部３ａが肌に接触する荷重であった。
引っ掛かり感が全くないものを◎、引っ掛かり感をほぼ感じなかったものを〇、感じたものを×と評価した。
【００４９】
筆穂カバー露出部３ａを有する試料１〜試料５のうち、筆穂カバー部３の材料がポリエステルエラストマーの試料１〜試料４においては引っ掛かり感が全く感じられず、筆穂カバー部３の材料がポリアセタールの試料５においては、引っ掛かり感をほぼ感じなかった。
筆穂カバー部３で被覆されていない試料６〜試料１３のうち、筆穂断面硬度が高い試料６については、引っ掛かり感を感じたが、それ以外の試料７〜試料１３については、引っ掛かり感が全く感じられなかった。
【００５０】
−評価試験５（組付け時折れやすさ試験）−
筆先ユニット１を組付ける際に、マウスピース４に筆穂２又は筆穂カバー部３で被覆した筆穂２を挿入すると、筆穂２が折れるか否かにつき、目視にて観察した。
ほぼ折れないものを〇、折れやすいものを×、その中間を△と評価した。
【００５１】
筆穂カバー露出部３ａを有する試料１〜試料５においてはほぼ折れなかった。
筆穂カバー部３で被覆されていない試料６〜試料１３のうち、外径（ここでは筆穂中芯径Ｄ１）が小さい試料１３は折れやすく、試料１２も折れるケースが多かったが、それ以外の試料６〜試料１１については、ほぼ折れなかった。
【００５２】
−評価試験６（筆先見えやすさ試験）−
アイライン等の筆記時に筆先が見えやすいか否かを、筆記ユニットを６０°傾けて筆記した際に鏡に筆先、すなわち筆穂の先端部分が映るか確認した。
筆先が鏡に映ったものを〇、映らなかったものを×、その中間を△と評価した。
【００５３】
筆穂カバー露出部３ａを有する試料１〜試料５においては、全て筆先が鏡に映り、筆先が見えやすい構成になっていることが分かった。
筆穂カバー部３で被覆されていない試料６〜試料１３のうち、総芯出長（ここではＢ）が短い試料１０、試料１１においては、筆先が鏡に映らず、試料９においても筆先が鏡に映りづらく、筆先が見えづらいことが分かった。
【産業上の利用可能性】
【００５４】
以上のように、筆穂と、筆穂カバー部と、マウスピースを備える筆先ユニットにおいて、筆穂露出部径を、必要な線幅の最大値以下とし、筆穂露出部、筆穂カバー露出部を適切に設定することにより、筆穂に適度な撓みを持ち、液体の塗布線の幅を安定させて調整でき、筆の扱いに不慣れな使用者でも安定した線を描くことができる液体塗布具の筆先ユニットを提供することができる。
本筆先ユニットを収納した液体塗布具は、細い線を安定して描けるものであり、使い勝手がよく、初心者からヘビーユーザーまでのニーズに沿った化粧用具や筆記具として、広く応用されることが期待される。
【符号の説明】
【００５５】
１    筆先ユニット
２    筆穂
２ａ  筆穂露出部
３    筆穂カバー部
３ａ  筆穂カバー露出部
４    マウスピース
４ａ  マウスピース露出部
５    外筒
６    把持筒
７    キャップ
Ａ    筆穂カバー露出部長
Ｂ    筆穂露出部長
Ａ＋Ｂ  総芯出長
Ｃ    筆穂露出部径
Ｄ１  筆穂中芯径
Ｄ２  筆穂カバー部外径
Ｄ３  マウスピース外径
Ｄ４  外筒先端側外径
Ｄ５  外筒後端側外径
Ｄ６  把持筒外径
Ｄ７  キャップ外径
Ｌ１  マウスピース露出部長
Ｌ２  外筒露出部長
Ｌ３  把持筒長
Ｌ４  キャップ長
Ｌ５  液体塗布具全長
【図１】
2020130664.tif 000005
【図２】
2020130664.tif 000006
【図３】
2020130664.tif 000007